(57)【要約】  【課題】扉を容易に開けることができる冷蔵庫を提供すること。  【解決手段】４辺を箱状にフランジ加工した金属製のドアパネル１と、このドアパネル１に対向して組み合わされる内板２と、ドアパネル１に取付けたドアハンドル４とを備え、ドアパネル１は、端辺部に段差３を施し、段差３の近傍にドアハンドル４を取付けていることにより、ドアパネル１から飛出したドアハンドル４の高さを抑えた形状でドアハンドル４が握りやすくなり、ドアを開けやすくした冷蔵庫を提供することができる。【選択図】図１
2005326059.tif 000002
【特許請求の範囲】
【請求項１】
４辺を箱状にフランジ加工した金属製のドアパネルと、このドアパネルに対向して組み合わされる内板と、前記ドアパネルの端辺部に取付けたドアハンドルとを備え、前記端辺部は前記ドアパネルに対し段差を設けたことを特徴とした冷蔵庫の扉。
【請求項２】
ドアパネルの端辺部の段差の断面形状を円弧状にした請求項１に記載の冷蔵庫の扉。
【請求項３】
ドアパネル上下のフランジ面と前記端辺部との突合せ部の端面がドアパネル表面に対して内向きなる様に絞り加工したことを特徴とする請求項１または２に記載の冷蔵庫の扉。
【請求項４】
ドアパネルの端辺部の段差の断面形状を円弧状にした面上にドアハンドルを取付け、ドアパネル内側面から距離を保ってドアハンドルの補強板を取付けた請求項２に記載の冷蔵庫の扉。
【請求項５】
ドアパネルの端辺部の段差がある側面のフランジ面にドアハンドルを取付けた請求項１から３のいずれか一項に記載の冷蔵庫の扉。
【請求項６】
ドアパネルの端辺部の段差がある側面のフランジ面に、右開き用と左開き用のドアハンドル取付け用穴を設けた請求項５記載の冷蔵庫の扉。
【発明の詳細な説明】
【技術分野】
【０００１】
本発明は、ドアパネルの内部に発泡断熱材を注入発泡した冷蔵庫の扉に関するものである。
【背景技術】
【０００２】
従来、この種の冷蔵庫の扉は絞り加工して、ドアパネル表面に段差を設け、ドアパネルの上又は下に取付けたドアキャップにドアハンドル機能を持たしている（例えば、特許文献１参照）。
【０００３】
図７は特許文献１に記載された従来の冷蔵庫の扉を示すものである。図７に示すように、ドアパネル１１と、絞り加工部１２と、上部ドアキャップ１３と、下部を凹ませてハンドル機能を持たせた下部ドアキャップ１４から構成されている。
【特許文献１】特開２００２−２２８３４３号公報
【発明の開示】
【発明が解決しようとする課題】
【０００４】
しかしながら、前記従来の構成では、上下にドアが２枚ある場合、ハンドルに手を掛けるためには上ドアと下ドアの間に手を入れなければならず、扉を開けにくいという課題を有していた。
【０００５】
本発明は、前記従来の課題を解決するもので、扉を開けやすくした冷蔵庫の扉を提供することを目的とする。
【課題を解決するための手段】
【０００６】
上記従来の課題を解決するために、本発明の冷蔵庫の扉は、４辺を箱状にフランジ加工した金属製のドアパネルと、このドアパネルに対向して組み合わされる内板と、前記ドアパネルの端辺部に取付けたドアハンドルとを備え、前記端辺部は前記ドアパネルに対し段差を設けたものである。
【０００７】
これによって、ドアパネルから飛出したドアハンドルの高さを抑えた形状でドアハンドルが握りやすくなり、扉を開けやすくすることができる。
【０００８】
また、本発明の冷蔵庫の扉は、ドアパネルの端辺部の段差の断面形状を円弧状にしたものである。
【０００９】
これによって、段差に手を入れる際に、手が段差に接触し難くなり、ドアハンドルを握りやすくなるので扉を開けやすくなる。
【００１０】
また、本発明の冷蔵庫の扉は、ドアパネル上下のフランジ面と前記端辺部との突合せ部の端面がドアパネルの表面に対して内向きになる様に絞り加工したものである。
【００１１】
これによって、ドアパネル端面がドアパネルの表面に出ない扉を製作できる。
【００１２】
また、本発明の冷蔵庫の扉は、ドアパネルの端辺部の段差の断面形状を円弧状にした面上にドアハンドルを取付け、ドアパネル内側面から距離を保ってドアハンドルの補強板を取付けたものである。
【００１３】
これによって、円弧状の段差上にドアハンドルを取付けるための補強板の形状が簡素化できる。
【００１４】
また、本発明の冷蔵庫の扉は、ドアパネルの端辺部の段差がある側面フランジ部にドアハンドルを取付けたものである。
【００１５】
これによって、段差の近傍に容易にドアハンドルを取付けることができる。
【００１６】
また、本発明の冷蔵庫の扉は、ドアパネルの端辺部の段差がある側面フランジ部に、右開き用と左開き用のドアハンドル取付け用穴を取付けたものである。
【００１７】
これによって、右開き扉と左開き扉のドアパネルを１種類に統一できる。
【発明の効果】
【００１８】
本発明の冷蔵庫の扉は、ドアパネルから飛出したドアハンドルの高さを抑えた形状でドアハンドルを握りやすくし、扉を開けやすくすることができる。
【発明を実施するための最良の形態】
【００１９】
請求項１に記載の発明は、４辺を箱状にフランジ加工した金属製のドアパネルと、このドアパネルに対向して組み合わされる内板と、前記ドアパネルの端辺部に取付けたドアハンドルとを備え、前記端辺部は前記ドアパネルに対し段差を設けたことをことにより、ドアパネルから飛出したドアハンドルの高さを抑えた形状でドアハンドルが握りやすくなり、扉を開けやすくすることができる。
【００２０】
請求項２に記載の発明は、特に、第１の発明の冷蔵庫の扉で、ドアパネルの端辺部の段差の断面形状を円弧状にすることにより、段差に手を入れる際に、手が段差に接触し難くなり、ドアハンドルを握りやすくなるので扉を開けやすくなる。
【００２１】
請求項３に記載の発明は、特に、第１または第２の発明の冷蔵庫の扉で、ドアパネル上下のフランジ面と前記端辺部との突合せ部の端面がドアパネル表面に対して内向きになる様に絞り加工することにより、ドアパネル端面がドアパネルの表面に出ないようにすることができる。
【００２２】
請求項４に記載の発明は、特に、第２の発明の冷蔵庫の扉で、ドアパネルの端辺部の段差の断面形状を円弧状にした面上にドアハンドルを取付け、ドアパネル内側面から距離を保ってドアハンドルの補強板を取付けることにより、補強板の形状を簡素化できる。
【００２３】
請求項５に記載の発明は、特に、第１〜３の発明のいずれか１つの発明の冷蔵庫の扉で、ドアパネルの端辺部の段差がある側面フランジ面にドアハンドルを取付けることにより、段差の近傍に容易にドアハンドルを取付けることができる。
【００２４】
請求項６に記載の発明は、特に、第５の発明の冷蔵庫の扉で、ドアパネルの端辺部の段差がある側面のフランジ面に、右開き用と左開き用のドアハンドル取付け用穴を設けることにより、右開き扉と左開き扉のドアパネルを１種類に統一できる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における冷蔵庫の扉の斜視図を示すものである。
【００２７】
図１において、ドアパネル１は４辺を箱状にフランジ加工した金属製のものであり、内板２はドアパネル１と対向して取付けられたものである。また、段差３はドアパネル１の端辺部を内板２の方向に曲げ、ドアパネル表面と段違いにしたものであり、ドアハンドル４は段差３の近傍のドアパネル１上に取付けたものである。
【００２８】
以上のように構成された冷蔵庫の扉について、以下その作用を説明する。
【００２９】
まず、ドアパネル１に形成した段差３の近傍にドアハンドル４を取付けることで、ドアパネル１から飛出したドアハンドル４の高さを抑えた形状で、ドアハンドルが握りやすくなり、扉を開けやすくすることができる。
【００３０】
（実施の形態２）
図２は、本発明の第２の実施の形態における冷蔵庫の扉の断面図である。
【００３１】
図２において、段差の断面５はドアパネルの端辺部の段差の断面形状を円弧状にしたものである。
【００３２】
以上のように構成された冷蔵庫の扉について、以下その作用を説明する。
【００３３】
まず、ドアパネル１に形成した段差３に手を入れながらドアハンドル４を握る際に、段差の断面５の形状が円弧状になっているので、手が段差面に接触せずにドアハンドルをにぎることができ、扉を開けやすくすることができる。
【００３４】
（実施の形態３）
図３は、本発明の第３の実施の形態における冷蔵庫の扉の斜視図である。
【００３５】
図３において、絞り加工部６はドアパネルのフランジ面７と段差３との突合せ部の端面がドアパネル表面に対して内向きになる様に絞り加工したものである。
【００３６】
以上のように構成された冷蔵庫の扉について、以下その作用を説明する。
【００３７】
まず、ドアパネルを加工する際にドアパネル上下のフランジ面７を曲げ加工により設け、ドアパネルのフランジ面７と段差３を形成し、それらの突合せ部の端面がドアパネル表面に対して内向きになる様に絞り加工することで、端面がドアパネルの表面に出ないようにすることができる。
【００３８】
（実施の形態４）
図４は、本発明の第４の実施の形態における冷蔵庫の扉の断面図である。
【００３９】
図４において、補強板８は段差の断面５が円弧状になった段差３上にドアハンドル４を取付け、固定するため、ドアパネル内側面から距離を保ってドアハンドルの補強板を取付けたものである。
【００４０】
以上のように構成された冷蔵庫の扉について、以下その作用を説明する。
【００４１】
まず、段差の断面５が円弧状になった段差３上にドアハンドル４を取付け、固定するためには、補強板８を断面５の形状に沿って取付けると、補強板８の形状が複雑になることから、補強板８をドアパネル内側面から距離を保って取付けることで、補強板８の形状を簡素化できる。
【００４２】
（実施の形態５）
図５は、本発明の第５の実施の形態における冷蔵庫の扉の斜視図である。
【００４３】
図５において、ドアパネルの段差がある側面のフランジ面９はドアハンドル４を取付ける面としたもので、補強板８は段差がある側面のフランジ面９の裏側に取付けている。
【００４４】
以上のように構成された冷蔵庫の扉について、以下その作用を説明する。
【００４５】
まず、ドアハンドル４を段差がある側面のフランジ面９に取付けることで、ドアハンドル４の形状及び補強板８の形状を簡素化できる。
【００４６】
（実施の形態６）
図６は、本発明の第６の実施の形態における冷蔵庫の扉の斜視図である。
【００４７】
図６において、ドアハンドル取付け用穴１０は段差がある側面のフランジ面９に設けている。
【００４８】
以上のように構成された冷蔵庫の扉について、以下その作用を説明する。
【００４９】
まず、ドアハンドル取付け用穴１０を段差がある側面のフランジ面９上に対称に設け、ドアパネル１を１８０度回転することで右開き、左開き用の両方を兼ねることができる。
【産業上の利用可能性】
【００５０】
以上のように、本発明にかかる冷蔵庫の扉は、ドアパネルから飛出したドアハンドルの高さを抑えた形状でドアハンドルを握りやすくし、ドアを開けやすくすることが可能となるので、狭い場所に置かれるような収納庫の扉等の用途にも適用できる。
【図面の簡単な説明】
【００５１】
【図１】本発明の実施の形態１における冷蔵庫の扉の斜視図
【図２】本発明の実施の形態２における冷蔵庫の扉の断面図
【図３】本発明の実施の形態３における冷蔵庫の扉の斜視図
【図４】本発明の実施の形態４における冷蔵庫の扉の断面図
【図５】本発明の実施の形態５における冷蔵庫の扉の斜視図
【図６】本発明の実施の形態６における冷蔵庫の扉の斜視図
【図７】従来の冷蔵庫の扉の斜視図
【符号の説明】
【００５２】
１    ドアパネル
２    内板
３    段差
４    ドアハンドル
５    段差の断面
６    絞り加工部
７    ドアパネルのフランジ面
８    補強板
９    段差がある側面のフランジ面
１０  ドアハンドル取付け用穴
１１  ドアパネル
１２  絞り加工部
１３  上部ドアキャップ
１４  下部ドアキャップ
【図１】
2005326059.tif 000003
【図２】
2005326059.tif 000004
【図３】
2005326059.tif 000005
【図４】
2005326059.tif 000006
【図５】
2005326059.tif 000007
【図６】
2005326059.tif 000008
【図７】
2005326059.tif 000009